(57)【要約】  ディスプレイパネル（１）が画像を表示するための比較的多くの達成可能な光学状態を有することが可能なピクセル（２）を有するために、ピクセル（２）は、粒子（６）を有する電気泳動媒体（５）をもち、各粒子（６）は、動作時に移動及び回転することができるようにするための電気的マルチポールと、非類似の光学特性（例えば色）をもつ少なくとも２つの表面部分とを有する。光学状態は、粒子（６）の位置及び向きに依存する。さらに、粒子制御器（１０，１１，２０，２１，１００）は、画像を表示するために、前記位置の１つ及び前記向きの１つへそれぞれ粒子（６）の移動及び回転を可能にするように構成されている。１組の電極（１０，１１）は、ピクセル内で粒子が分散状態にあるのか集合状態にあるのかを制御する。第２組の電極は、粒子の回転の度合いを選択する。
2007532967.tif 000002
【特許請求の範囲】
【請求項１】
‐粒子を有する電気泳動媒体であって、各粒子が、動作時に移動及び回転することができる電気的マルチポールと、非類似の光学特性をもつ少なくとも２つの表面部分とを有する電気泳動媒体と、
‐前記粒子の位置及び向きに依存する光学状態と
を有するピクセルと、
‐画像を表示するために、前記位置の１つ及び前記向きの１つへそれぞれ前記粒子の移動及び回転を可能にするように構成された粒子制御器と、
を有する画像を表示する電気泳動ディスプレイパネル。
【請求項２】
前記電気的マルチポールが永久的であることを特徴とする請求項１に記載のディスプレイパネル。
【請求項３】
前記電気的マルチポールが電気的ダイポールを有することを特徴とする請求項１に記載のディスプレイパネル。
【請求項４】
各粒子は、該粒子が移動する能力に寄与する正味の電荷をもつことを特徴とする請求項１に記載のディスプレイパネル。
【請求項５】
各粒子が、実質的に球形の形状を持つと共に、非類似の光学特性及び実質的に反対の電荷を有する２つの半球を有することを特徴とする請求項１に記載のディスプレイパネル。
【請求項６】
前記粒子制御器が、前記粒子の密度を局部的に制御するために前記粒子の移動を可能にするように構成されることを特徴とする請求項１に記載のディスプレイパネル。
【請求項７】
前記粒子制御器が、前記粒子の前記回転の前に前記粒子の前記移動を可能にするように構成されることを特徴とする請求項１に記載のディスプレイパネル。
【請求項８】
‐前記ピクセルは前記ピクセルの光学状態に実質的に寄与しないリザーバ部分を有し、
‐前記ピクセルは前記ピクセルの光学状態にかなり寄与する光学活性部分を有し、
‐前記光学活性部分の前記粒子は極限の向きの間を回転することができ、
‐前記粒子の前記移動は、
‐前記リザーバ部分への前記粒子のリセット移動と、続いて
‐前記画像を表示するための前記位置への前記粒子の画像移動と
を有し、
‐前記粒子の前記回転は、
‐前記光学活性部分における前記粒子の前記極限の向きの１つへのリセット回転と、続いて
‐前記光学活性部分における前記粒子の前記画像を表示するための向きへの画像回転と
を有することを特徴とする請求項７に記載のディスプレイパネル。
【請求項９】
前記ディスプレイパネルが、
‐前記ピクセルと、
‐非類似な光学特性を有すると共に、前記ピクセルの前記粒子の前記表面部分に対して非類似の光学特性を有する少なくとも２つの表面部分を持つ粒子を有する他のピクセルと、
‐非類似な光学特性を有すると共に、前記ピクセルの粒子及び前記他のピクセルの前記粒子の前記表面部分に対して非類似な光学特性を有する、少なくとも２つの表面部分をもつ更に他のピクセルと
を有するスーパーピクセルを有することを特徴とする請求項１に記載のディスプレイパネル。
【請求項１０】
請求項１に記載の前記ディスプレイパネルを有するディスプレイ装置。
【請求項１１】
画像を表示するために電気泳動ディスプレイパネルを駆動する方法であって、
電気泳動ディスプレイパネルが、
‐粒子を有する電気泳動媒体であって、各粒子が動作時に、移動及び回転されることを可能にする電気的マルチポール及び非類似の光学特性をもつ少なくとも２つの表面部分を有する、電気泳動媒体と、
‐前記粒子の位置及び向きに依存する光学状態と
をもつピクセルを有し、
当該方法が、前記画像を表示するために、前記位置の１つ及び前記向きの１つにそれぞれ前記粒子を移動及び回転するステップを有する方法。
【発明の詳細な説明】
【技術分野】
【０００１】
本発明は、画像を表示するディスプレイパネルに関する。
【０００２】
本発明は、このようなディスプレイパネルを有するディスプレイ装置にも関する。
【０００３】
本発明は、更に、このようなディスプレイパネルを駆動する方法にも関する。
【背景技術】
【０００４】
画像を表示するディスプレイパネルは、米国特許ＵＳ５，３８９，９４５において開示されている。
【０００５】
開示されたディスプレイパネルは、ジリコンディスプレイであり、ツイストボールディスプレイとも呼ばれており、ある形態の電子ペーパーを作製するためのテクノロジーを提供している。簡潔にいうと、ジリコンディスプレイは、多数の光学的に異方性のボールからなるアドレス指定可能なディスプレイであって、各ボールは、観測者に所望の面を向けるように選択的に回転することができる。
【０００６】
より詳細には、開示されたディスプレイパネルは、キャビティ内で回転可能な小さなボールで充填されたホスト層を有する。このホスト層は、シート状のシリコーンラバーのようなエラストマ（高分子弾性体）であり得、分散された高密度の誘電体ボールを有する。各ボールは、自身の半球が対照的な色をもつ（好ましくは一方が黒であれば他方は白となる）ように作製され、電界中では異なる表面電荷を呈するだろう。各ボールは、このボールよりもわずかに大きな球状のキャビティに含まれ、ボールとキャビティとの間の空間は、ボールがキャビティ内で自由に回転できるように、誘電性の液体で満たされている。所与の極性及び閾値よりも高いポテンシャルの電界を印加すると、ボールは、その黒い側全てが一方向に向くように整列するだろう。その方向から見る場合、ディスプレイパネルは黒であるように見えるだろう。逆に、電界の極性を逆にすることは、ボールを１８０度回転させ、その結果ボールの白い側が見る方向に向き、ディスプレイパネルは白であるように見えるだろう。しかしながら、上記ディスプレイパネルは、比較的少ない数の達成可能な光学状態しか有さない。
【発明の開示】
【発明が解決しようとする課題】
【０００７】
本発明の目的は、最初の段落に記載された種類のディスプレイパネルであって、画像を表示するために比較的多くの達成可能な光学状態を持つ、ディスプレイパネルを提供することである。
【課題を解決するための手段】
【０００８】
この目的を達成するために、本発明は、画像を表示する電気泳動ディスプレイパネルであって、
‐粒子を有する電気泳動媒体であって、各粒子が動作時に移動及び回転されることが可能であるように電気的マルチポールをもつと共に、非類似な光学特性を備える少なくとも２つの表面の部分をもつ電気泳動媒体と、
‐前記粒子の位置及び向きに依存する光学状態と、
を有するピクセルと、
‐画像を表示するために、前記粒子の前記位置の１つ及び前記向きの１つへの各々の動き及び回転を可能にするように構成された粒子制御器と、
を有する画像を表示する電気泳動ディスプレイパネルを提供する。上記媒体が電気泳動媒体である結果として、粒子は、媒体中で移動、且つ、回転することができる。粒子制御器は、各粒子が動作時に電気的なマルチポールをもつので、これらの粒子を移動させることができる。一例として、粒子制御器は、空間的に一様ではない勾配をもつ電界を印加することができる。電気的なマルチポールは、永久的であり得、又はこのマルチポールは、例えば交流電界によって動作時に誘起され得る。さらに、粒子制御器は、各粒子が動作時に電気的なマルチポールを有するので、粒子を回転することができる。ピクセルの光学状態は、粒子の位置及び粒子の向きに依存する（各粒子は、異なる光学特性を持つ少なくとも２つの表面部分を有する）。これらの依存性の結果として、画像を表示するための達成可能な光学状態の数は、比較的大きい。一例として、粒子の所与の向きに対するピクセルの光学状態は、粒子の位置の変化によって変化することができる。これは、米国特許ＵＳ５，３８９，９４５において開示されているディスプレイパネルとは対照的であり、ここでは、粒子の所与の向きに対するピクセルの光学状態は、粒子の位置が固定されているため、変化することができない。
【０００９】
さらに、本発明によるディスプレイパネルに対して、電気的なマルチポールが電気的なダイポールを有しているならば、粒子制御器は、空間的に一様な勾配を持つ電界を印加することにより各粒子を回転することができ、これは比較的簡素に達成することができる。さらに、各粒子が移動する能力に寄与する正味電荷を各粒子が有するならば、粒子制御器は、空間的に一様な勾配を持つ電界を印加することによって各粒子を移動させることができ、これは比較的簡素に達成することができる。
【００１０】
一実施例において各粒子は、実質的に球形の形状をもつと共に、非類似な光学特性及び実質的に反対の電荷を有する２つの半球をもつ。この場合、粒子は、比較的容易に製造することができる。一例は、ゼロックス社のジリコン粒子である。
【００１１】
一実施例では、粒子制御器は、粒子の密度を局部的に制御するために粒子の移動ができるように構成される。
【００１２】
電気泳動媒体中で粒子が移動され及び回転される、多くの可能な考えがある。例えば移動及び回転は同時的であり得、又は粒子は移動の前に回転され得る。もし粒子制御器が、粒子の回転より前に粒子の移動を可能にするように構成されるならば、画像の精度は改善されるだろう。さらにもし、
‐ピクセルがピクセルの光学状態に実質的に寄与しないリザーバ部分を有し、
‐ピクセルがピクセルの光学状態に実質的に寄与する光学的に活性な部分を有し、
‐光学的に活性な部分の粒子が極限の向きの間で回転することができ、
‐粒子の移動が
‐リザーバ部分への粒子のリセット移動と、続いて、
‐画像を表示するための位置への粒子の画像移動と、
を有し、
‐粒子の回転が
‐光学活性部分における粒子の前記極限の向きの1つへのリセット回転と、
‐光学活性部分の粒子の画像を表示するための向きへの画像回転と、
を有するならば、画像の精度は更に改善される。
【００１３】
別の実施例では、各粒子は、非類似の光学特性を持つ２より多くの表面部分を持つ。例えば各粒子が赤、緑及び青の表面部分をもつ、各粒子が白、黒及び着色された表面部分をもつ、又は各粒子が赤、緑、青及び白の表面部分をもつ。好ましくは、各粒子における表面部分は、実質的に等しい面積を持つ。
【００１４】
他の実施例では、電気泳動媒体は、移動及び回転することができる第２タイプ粒子も有する。第２タイプ粒子の各粒子は、第1タイプ粒子に関しては非類似の光学特性を持つ１以上の表面部分をもつ。例えば第１タイプの粒子は、緑及び赤の表面部分を有するのに対し、第２タイプ粒子は、青及び黒の表面部分を有する。好ましくは、上記表面部分は、実質的に等しい面積を有する。
【００１５】
別の実施例では、ディスプレイパネルは、
‐前記ピクセルと、
‐非類似な光学特性を有すると共に、前記ピクセルの粒子の表面部分に対して非類似な光学特性を有する少なくとも２つの表面部分をもつ粒子を有する他のピクセルと、
‐非類似な光学特性を有すると共に、前記ピクセルの粒子及び前記他のピクセルの粒子の表面部分に対して非類似な光学特性を有する少なくとも２つの表面部分をもつ粒子を有する更に他のピクセルと、
を有するスーパーピクセルを有する。この場合、カラーディスプレイパネルに有利に使用することができるようなスーパーピクセルの色の組み合わせが可能である。
【００１６】
別の実施例では、ディスプレイパネルは、アクティブマトリクスディスプレイパネルである。
【００１７】
本発明の別の態様は、請求項１０に記載の電気泳動ディスプレイパネルを有するディスプレイ装置を提供する。
【００１８】
本発明の別の態様は、請求項１１に記載の電気泳動ディスプレイパネルを駆動する方法を提供する。
【００１９】
本発明のディスプレイパネルのこれら及び他の態様は、図を参照して更に明らかにされ、説明されるだろう。
【００２０】
すべての図において、対応する部分は、同じ符号によって参照される。
【発明を実施するための最良の形態】
【００２１】
図１及び２は、第１基板８と、第２の透明な対向基板９と、複数のピクセル２とを有するディスプレイパネル１の一例を示す。好ましくは、ピクセル２は、２次元構造において実質的に直線に沿って配列される。ピクセル２の他の配列、例えば蜂の巣配列が、代替として可能である。アクティブマトリクスの実施例では、ピクセル２は、更に、例えば薄膜トランジスタ（ＴＦＴ）、ダイオード、ＭＩＭ装置等のようなスイッチング電子装置を有し得る。
【００２２】
透明な流体内に粒子６を有する電気泳動媒体５は、基板８，９の間にある。第２基板９に対面する第１基板８の表面１５は、反射性であるか、又は何らかの色を持ち得る。電気泳動媒体５は、それ自身は、例えば米国特許ＵＳ２００２／０１８０６８８から知られており、粒子６は、それ自身は、例えば米国特許ＵＳ５，３８９，９４５及びＵＳ４，１２６，８５４から知られており、これらの文書は、参照によって本明細書に組み込まれるものとする。各粒子６は、移動及び回転を可能にするための電気的マルチポールを有する。このマルチポールは、電界における差分的表面電荷に起因する。粒子６は、誘電性のボールであり得、例えば各々が直径約１５〜３０ミクロンである。各ボールは、非類似の光学特性を持つ少なくとも２つの表面部分を持つように作製される。前記表面部分の第１のものは何らかの色をもち、前記表面部分の他のものは、第１のものの色とは異なるなんらかの色を有し得る。前記表面部分の第１のものの色は、例えば赤、緑、青、黄色、シアン、マゼンタ、白又は黒である。
【００２３】
図３では、表面部分の着色のいくつかのオプションが示される。例えば各粒子が赤（ａ１）及び緑（ａ２）の表面部分をもつ、各粒子が白（ｂ１，ｃ１）、黒（ｂ２，ｃ２）及び着色（ｂ３，ｃ３）表面部分をもつ又は各粒子が赤（ｄ１）、緑（ｄ２）、青（ｄ３）及び白（ｄ４）の表面部分を持つ。
【００２４】
粒子６は、例えば対照的な色の半球５０，５１を有し得る（例えば一方が黒で他方が白）。粒子６は、ピクセル２においてある位置を占有し、移動することができる。ピクセル２は、観取者により見られる観取面（viewing  surface）９１を有する。ピクセル２の光学状態は、粒子６の位置及び向きに依存する。
【００２５】
駆動手段１００からのポテンシャルを入力する電極１０，１１，２０，２１を有する粒子制御器は、画像を表示するために、位置の１つ及び向きの１つへの粒子６の各々の動き及び回転を可能にするように構成される。電極１０，１１，２０，２１の各々は、粒子６に面する実質的に平らな表面を有し得る。幾何学形状及びポテンシャルは、実質的に均一な電界を電極１０，１１間及び電極２０，２１間に発生することができるように選択されうる。
【００２６】
一例では、粒子６が赤及び緑の半球５０，５１を持つ、すなわち粒子６は、片側が赤で反対側が緑であると考える。赤の半球５０は負に帯電され、緑の半球５１は正に帯電される。この電荷の分布の結果として、粒子６は、ダイポールを含む永久的なマルチポールを有する。更に、負の電荷の大きさが正の電荷の大きさよりも大きく、その結果粒子６が負の正味電荷を有すると考える。正味電荷は、粒子６の移動する能力に寄与する。更に、電極２１及び流体は、透明であり、第１基板８の表面１５は青である。図２のピクセルレイアウトを考える。
【００２７】
赤の光学状態を得るためには、まず粒子６は、電極１０，１１により入力されるポテンシャルを適切に変化させることによって、ピクセル２内で分散された状態にされる。続いて粒子６は、電極２０，２１により入力されるポテンシャルを適切に変化させることによって、これら粒子の赤い側全てが、観取面９１に面するように指向される。結果としてピクセル２の光学状態は、赤となる。
【００２８】
緑の光学状態を得るためには、まず粒子６は、電極１０，１１により入力されるポテンシャルを適切に変化させることによって、ピクセル２内で分散された状態にされる。続いて粒子６は、電極２０，２１により入力されるポテンシャルを適切に変化させることによって、該粒子の緑の側全てが、観取面９１に面するように指向される。この場合、電極２０，２１間の電界の極性は、赤いピクセル２を得るための極性とは反対になる。結果としてピクセル２の光学状態は、緑である。
【００２９】
青の光学状態を得るためには、粒子６は、電極１０，１１により入力されるポテンシャルを適切に変化させることによって、電極１０又は１１の表面近くで集合状態にされる。結果として、粒子６は実質的に光の経路の外側にある。それゆえ、ピクセル２の光学状態は青である。なぜなら第１基板８の表面１５が青であるからである。
【００３０】
中間の光学状態もまた可能である。一例では、粒子６は、観取面９１に向けられた赤及び緑の半球５０，５１の一部を持ち、その結果光学状態は、赤と緑との間の中間、すなわち黄色、オレンジなどとなる。別の例では、わずかな数の粒子６のみがピクセル２に分散され、それによって第１基板８の青い表面１５を完全にはカバーせず、そのわずかな数の粒子６は、赤い側が観取面９に面しており、その結果光学状態は赤と青との中間、すなわち紫となる。更なる一例は、前の２つの例の組み合わせである。
【００３１】
図４は別の実施例を示す。この実施例は、図２に示された前の実施例と類似している。しかしながら、この実施例ではピクセル２は、観取者からリザーバ５１０を遮蔽する黒いマトリクス５１３のため、ピクセル２の光学状態に実質的に寄与しないリザーバ部分５１０を有する。リザーバ５１０は、データ電極５１２及びリセット電極５１１を有する。データ電極５１２は、薄膜トランジスタＴＦＴを介してアクティブマトリクスのデータドライバに接続され得、一方リセット電極５１１は、複数のピクセル２又は全体のディスプレイパネル１とさえ共通であり得る。さらに、ピクセルの壁を形成する障壁５１４ａ，５１４ｂは、ピクセル２を互いから分離し得る。ピクセル２は、ピクセル２の光学状態にかなり寄与する光学活性部分５３０を有する。光学活性部分５３０における粒子６の向きは、粒子６を指向させるための電極２０，２１の位置及び粒子６のマルチポールに依存する極限の向きを有する。この例では、もしその赤い側が全て観取面９１に面するように、粒子６が指向され、且つ、揃えられるならば、光学活性部分５３０における粒子６は、第１の極限の向きを有し、もしその緑の側が全て観取面９１に面するように、粒子６が指向され、且つ、揃えられるならば、光学活性部分５３０における粒子６は、第２の極限の向きを有する。この実施例では、粒子６の移動は、粒子６のリザーバ５１０へのリセット移動と、続いて粒子６の画像を表示するための位置への画像移動とを有し、光学活性部分５３０における粒子６の回転は、粒子６の極限の向きの１つへのリセット回転と、続いて光学活性部分５３０における粒子６の画像を表示するための向きへの画像回転とを有する。
【００３２】
赤の光学状態を得るために、第１に粒子６は、電極２０，２１，５１１，５１２によって入力されたポテンシャル（例えば電極２０，２１，５１１，５１２は、それぞれ０ボルト、０ボルト、１０ボルト、５ボルトを入力する）を適切に変化させることによって、リザーバ５１０へ至らされる（これはリセット移動である）。第２に粒子６は、電極２０，２１，５１１，５１２によって入力されたポテンシャル（例えば電極２０，２１，５１１，５１２は、それぞれ５ボルト、５ボルト、４ボルト、３ボルトを入力する）を適切に変化させることによって、画像を表示するための位置へ至らされる（これは画像移動である）。光学活性部分５３０にもたらされた粒子６の数は、電極２０，２１，５１１，５１２によって入力された適切なポテンシャル及びポテンシャルが印加された時間によって選択することができる。リザーバ５１０における粒子６は、電極２０，２１，５１１，５１２によって入力されたポテンシャル（例えば電極２０，２１，５１１，５１２はそれぞれ０ボルト、０ボルト、２ボルト、０ボルトを入力する）を適切に変化させることにより、電極５１１の表面近くに粒子を集合させることによってリザーバ５１０内に維持される。第３に光学活性部分５３０における粒子６は、電極２０，２１によって入力されたポテンシャル（例えば電極２０，２１は、それぞれ０ボルト、２ボルトを入力する）を適切に変化させることによって、極限の向きの１つ、例えば赤に回転される（これはリセット回転である）。これに続く光学活性部分５３０における粒子６の赤を表示する向きへの画像回転はない。なぜならリセット回転の結果として光学活性部分５３０における粒子６は、その赤い側が観取面９１にすべて面するようにすでに指向されているからである。結果として、ピクセル２の光学状態は赤である。強度は光学活性部分５３０における粒子６の数によって決定される。
【００３３】
緑の光学状態を得るために、第１に粒子６は、電極２０，２１，５１１，５１２によって入力されたポテンシャル（例えば電極２０，２１，５１１，５１２は、それぞれ０ボルト、０ボルト、１０ボルト、５ボルトを入力する）を適切に変化させることによって、リザーバ５１０へ至らされる（これはリセット移動である）。第２に粒子６は、電極２０，２１，５１１，５１２によって入力されたポテンシャル（例えば電極２０，２１，５１１，５１２は、それぞれ５ボルト、５ボルト、４ボルト、３ボルトを入力する）を適切に変化させることによって、画像を表示するための位置へ至らされる（これは画像移動である）。光学活性部分５３０にもたらされた粒子６の数は、電極２０，２１，５１１，５１２によって入力された適切なポテンシャルによって選択することができる。第３に光学活性部分５３０における粒子６は、電極２０，２１によって入力されたポテンシャルを適切に変化させることによって、極限の向きの１つ、例えば赤に回転される（これはリセット回転である）。第４に光学活性部分５３０における粒子６は、電極２０，２１によって受信されたポテンシャルを適切に変化させることによって、緑を表示する向きへ回転される（これは画像回転である）。画像回転の結果として、光学活性部分５３０における粒子６は、その緑の面がすべて観取面９１に面するように回転される。結果としてピクセル２の光学状態は、緑である。
【００３４】
青の光学状態を得るために、粒子６は、電極２０，２１，５１１，５１２により入力されたポテンシャル（例えば電極２０，２１，５１１，５１２は、それぞれ０ボルト、０ボルト、１０ボルト、５ボルトを入力する）を適切に変化させることによって、リザーバ５１０に至らされる。結果として光学状態は、表面１５の色である青になる。さらに、中間の光学状態もまた可能であることは明らかである。
【００３５】
図５は他の実施例を示す。この実施例は、図４に示された前の実施例と類似している。しかしながらこの実施例では、電気泳動媒体は、移動及び回転することができる第２タイプの粒子７を有する。粒子７は、正の正味電荷を有する。ピクセル２は、第２粒子７がピクセル２の光学状態に実質的に寄与しない、第２リザーバ部分５２０を有する。なぜなら黒いマトリクス５１３が、観取者から第２リザーバ５２０を遮蔽するからである。第２リザーバ５２０は、データ電極５２１及びリセット電極５２２を有する。さらにピクセルの壁を形成する障壁５１４ａ，５１４ｂは、互いからピクセル２を分離している。ピクセル２は、ピクセル２の光学状態にかなり寄与する光学活性部分５３０を有する。光学活性部分５３０における粒子６，７の向きは、粒子６，７を指向するための電極２０，２１の位置及び粒子６，７のマルチポールに依存する極限の向きを有する。例として、第１タイプの粒子６は緑及び赤の表面部分を有し、第２タイプの粒子７は、青及び黒の表面部分を有する。表面１５は白である。前の実施例と類似して、第１及び／又は第２タイプの粒子は、光学活性部分５３０に持ち込む又は外へ出すことができる。達成可能な光学状態は、赤、緑、青、黒及び白並びに中間の光学状態である。
【００３６】
スーパーピクセル６００が多くのピクセル２からなる場合、スーパーピクセル６００の光学状態は、関連付けられたピクセル２の光学状態に依存する。多色粒子を回転させる原理を使用してフルカラーディスプレイパネル１をつくるために有利に使用することができる、いくつかの好ましい色の組み合わせが、示されるだろう。スーパーピクセル６００に関連付けられた異なるピクセル２は、分離した流体／粒子で満たされる必要があり、インクジェット印刷のような製造方法が適当だろう。図６を参照して、スーパーピクセル６００が３つの隣接したピクセル２ａ，２ｂ，２ｃからなると考える。
【００３７】
この実施例では、ピクセル２ａ，２ｂ，２ｃは、各々が着色された半球と黒い半球とを有する粒子６ａ，６ｂ，６ｃ（例えば粒子６ａは片側が青で反対側が黒、粒子６ｂは片側が緑で反対側が黒、粒子６ｃは片側が赤で反対側が黒）を有すると考えられる。さらに、表面１５ａ、１５ｂ、１５ｃは白である。この態様では、スーパーピクセルの光学状態を黒と白との間にし、３つのピクセル２ａ，２ｂ，２ｃの各々において、粒子６ａ，６ｂ，６ｃを選択的に回転させることによって最大強度の１／３まで彩色することが可能である。この実施例は、（反射ＬＣＤに使用されるいわゆる分散リフレクタとして一般的であるように）「白い」表面１５ａ，１５ｂ，１５ｃのミラーリング及び散乱角の決定によって、視角よりもむしろディスプレイパネル１の明るさが増大しうるという利点を持つ。
【００３８】
類似の態様では、着色された半球及び白い半球を有する粒子６ａ，６ｂ，６ｃが考えられる。さらに、表面１５ａ，１５ｂ，１５ｃは黒である。この態様では、３つのピクセル２ａ，２ｂ，２ｃの各々において、粒子６ａ，６ｂ，６ｃを選択的に回転させることによって、スーパーピクセルの光学状態を黒と白との間にし、最大強度の１／３まで彩色することも可能である。この実施例は、吸収する黒い表面１５ａ，１５ｂ，１５ｃにより、ディスプレイパネル１のコントラストが、非常によくなり得るという利点を持つ。
【００３９】
前の２つの変形例では、表面１５ａ，１５ｂ，１５ｃの色の機能は、関連する色の流体に置き換えられうる。これは、表面１５ａ，１５ｂ，１５ｃの色の生成が保存されるという利点を持つ。
【００４０】
他の実施例では、２つの主要な色の半球を持つ粒子６ａ，６ｂ，６ｃ及び白又は黒の表面１５ａ，１５ｂ，１５ｃをもつピクセル２ａ，２ｂ，２ｃが考えられる。この態様では、スーパーピクセル６００の光学状態を２つの個々のピクセルにおいて粒子を選択的に回転させることによって、最大強度の２／３まで彩色する（すなわち左及び中央のピクセルを粒子で満たし、赤い側が観取者に面するように全粒子を回転させることによって赤をつくる）ことが可能である。明るい混合色もまた、３ピクセル２ａ，２ｂ，２ｃ全てを適当な量の粒子６ａ，６ｂ，６ｃで満たし、必要に応じて粒子６ａ，６ｂ，６ｃを回転させることによって得られるだろう。
【００４１】
黒い表面１５ａ，１５ｂ，１５ｃの場合、非常に良いコントラストが実現されるが、白の強度は最大の１／３だけになるだろう。白い表面１５ａ，１５ｂ，１５ｃの場合、非常に良い白の強度が実現されるが、コントラスト比は、３：１にすぎなくなるだろう。
【図面の簡単な説明】
【００４２】
【図１】図１は、ディスプレイパネルの実施例の正面図を図式的に示す。
【図２】図２は、図１のＩＩ−ＩＩ線に沿う断面図を図式的に示す。
【図３】図３は、表面部分の着色のいくつかのオプションを示す。
【図４】図４は、ディスプレイパネルの別の実施例の図１におけるＩＩ−ＩＩ線に沿う断面図を図式的に示す。
【図５】図５は、ディスプレイパネルの別の実施例の図１におけるＩＩ−ＩＩ線に沿う断面図を図式的に示す。
【図６】図６は、ディスプレイパネルの別の実施例の図１におけるＶＩ−ＶＩ線に沿う断面図を図式的に示す。
【図１】
2007532967.tif 000003
【図２】
2007532967.tif 000004
【図３】
2007532967.tif 000005
【図４】
2007532967.tif 000006
【図５】
2007532967.tif 000007
【図６】
2007532967.tif 000008
【国際調査報告】
2007532967.tif 000009
2007532967.tif 000010
2007532967.tif 000011